(57)【要約】【課題】呼出専用の通信線を別途布設することなく、呼出報知を行うことができる暖房システムを提供する。【解決手段】便所Ｔ内に設置される温水暖房端末装置３０と、温水暖房端末装置３０に温水を循環供給する温水暖房熱源機１０と、温水暖房熱源機１０を操作する、台所Ｋに設置された操作リモコン２０と、温水暖房端末装置３０、温水暖房熱源機１０及び操作リモコン２０を通信可能に接続するシリアルインターフェース５１、５２とを備えており、温水暖房端末装置３０の操作部３１には、呼出信号を出力するための呼出操作ボタン３２が設けられている。呼出操作ボタン３２を押すことによって出力された呼出信号は、温水暖房端末装置３０からシリアルインターフェース５１、５２を介して、操作リモコン２０に送信され、その表示部２１及び音声出力部を利用して呼出報知が行われる。【選択図】　　　　図１
2004093059.tif 000002
【特許請求の範囲】
【請求項１】
所定の室内に設置される温水暖房端末装置と、
前記温水暖房端末装置に温水を供給する温水暖房熱源機と、
前記温水暖房熱源機を操作する遠隔操作手段と、
前記温水暖房端末装置と前記温水暖房熱源機とを通信可能に接続する第１の通信手段と、
前記温水暖房熱源機と前記遠隔操作手段とを通信可能に接続する第２の通信手段と
を備えた温水暖房システムにおいて、
呼出信号を前記温水暖房端末装置に出力するための呼出操作手段を、前記室内に設置し、
前記呼出操作手段を操作することによって前記温水暖房端末装置に出力された呼出信号を、前記第１の通信手段及び前記第２の通信手段を介して、前記遠隔操作手段に送信し、
前記呼出信号を受信した前記遠隔操作手段が呼出報知を行うようになっていることを特徴とする温水暖房システム。
【請求項２】
前記呼出操作手段が、前記温水暖房端末装置の操作部に組み込まれている請求項１に記載の温水暖房システム。
【請求項３】
前記温水暖房端末装置及び前記呼出操作手段が便所に設置されている請求項１または２に記載の温水暖房システム。
【発明の詳細な説明】
【０００１】
【発明の属する技術分野】
この発明は、温水暖房熱源機によって生成された温水を利用して暖房を行う暖房システムに関する。
【０００２】
【従来の技術】
従来、便所のように、一時的に入室する部屋については、気温の低い冬場においても、通常、暖房を行っていなかったので、老人や血圧の高い人が、冬場の用便中に便所内で気分が悪くなったり、倒れたりする危険性が高く、このため、近年では、家族に老人や血圧の高い人がいるような家庭では、便所についても積極的に暖房するようになってきており、例えば、便所内に温水暖房端末装置を設置し、屋外に設置される温水暖房熱源機によって生成された温水を、便所内に設置された温水暖房端末装置に循環供給するといった方法が採用されている。
【０００３】
【発明が解決しようとする課題】
しかしながら、上述したように、便所内を暖房するようにしても、便所内で用便者の体調が悪くなる場合もあるので、体調が悪くなって便所から出ることができなくなった用便者が、家族の人を呼び出すことができるように、予め、呼出報知システムを構築しておくことが望まれている。
【０００４】
ところで、便所内から台所等の便所以外の部屋に対して呼出報知を行うには、例えば、呼出信号を出力するための押しボタン等を有する呼出操作手段を便所内に設置すると共に、呼出信号を受信して呼出報知を行う呼出報知手段を台所等の部屋に設置し、呼出操作手段と呼出報知手段とを呼出専用の通信線を介して接続しなければならないが、既存の便所から、既存の台所等の部屋まで通信線を布設しようとすると、必然的に露出配線となるので、こういった通信線を使用する呼出報知システムを構築することは事実上不可能である。
【０００５】
そこで、この発明の課題は、呼出専用の通信線を別途布設することなく、呼出報知を行うことができる暖房システムを提供することにある。
【０００６】
【課題を解決するための手段及びその効果】
上記の課題を解決するため、請求項１にかかる発明は、所定の室内に設置される温水暖房端末装置と、前記温水暖房端末装置に温水を供給する温水暖房熱源機と、前記温水暖房熱源機を操作する遠隔操作手段と、前記温水暖房端末装置と前記温水暖房熱源機とを通信可能に接続する第１の通信手段と、前記温水暖房熱源機と前記遠隔操作手段とを通信可能に接続する第２の通信手段とを備えた温水暖房システムにおいて、呼出信号を前記温水暖房端末装置に出力するための呼出操作手段を、前記室内に設置し、前記呼出操作手段を操作することによって前記温水暖房端末装置に出力された呼出信号を、前記第１の通信手段及び前記第２の通信手段を介して、前記遠隔操作手段に送信し、呼出信号を受信した前記遠隔操作手段が呼出報知を行うようになっていることを特徴とする温水暖房システムを提供するものである。
【０００７】
以上のように、この温水暖房システムでは、所定の室内に温水暖房端末装置と共に設置された呼出操作手段から出力される呼出信号を温水暖房端末装置に一旦入力し、温水暖房端末装置と温水暖房熱源機とを通信可能に接続している第１の通信手段及び温水暖房熱源機とその遠隔操作手段とを通信可能に接続している第２の通信手段を利用して、呼出信号を遠隔操作手段に送信するようにしたので、所定の室内と遠隔操作手段が設置されている部屋との間に呼出専用の通信線を別途布設する必要がなく、しかも、遠隔操作手段を利用して呼出報知を行うようにしたので、呼出報知手段を別途設置する必要もない。
【０００８】
従って、既存の部屋であっても、温水暖房端末装置を設置して暖房を行うことができるのであれば、この温水暖房システムを用いてその部屋を暖房することで、温水暖房端末装置を設置した部屋から、温水暖房熱源機の遠隔操作手段を設置した部屋に対して、簡単かつ効率的に呼出報知を行うことが可能となる。
【０００９】
また、請求項２にかかる発明の温水暖房システムのように、呼出操作手段を温水暖房端末装置の操作部に組み込んでおくと、温水暖房システムと呼出報知システムとが完全に一体化されるので、暖房機能及び呼出報知機能といった二つの機能を効率的に実現することができる。
【００１０】
特に、便所は、用便者が一人で入室し、しかも、用便者が老人や血圧の高い人等の場合、気温の低い冬場に気分が悪くなったり、倒れたりする危険性が高いので、請求項３にかかる発明の温水暖房システムのように、前記温水暖房端末装置及び前記呼出操作手段を便所に設置した場合に、暖房機能及び呼出報知機能が有効に発揮されることになる。
【００１１】
【発明の実施の形態】
以下、実施の形態について図面を参照して説明する。図１に示すように、この温水暖房システム１は、屋外に設置された温水暖房熱源機１０と、便所Ｔ内に設置された温水暖房端末装置３０とが循環経路を形成する外部配管４１、４２によって接続されたものであり、温水暖房熱源機１０によって生成された温水を温水暖房端末装置３０に循環供給することによって、便所Ｔ内を暖房するようになっている。
【００１２】
前記温水暖房熱源機１０は、暖房機能の他、シャワーやカラン等への給湯機能及び浴室内に設置された浴槽に対する自動注湯機能や追焚機能を備えた３缶タイプの複合給湯器であり、台所Ｋや浴室（図示せず）には、この温水暖房熱源機１０を操作するための操作リモコン２０が設置されている。
【００１３】
前記温水暖房端末装置３０は、便所Ｔ内の空気を循環させる循環ファンと、温水暖房熱源機１０から外部配管４１、４２を介して循環供給される温水と循環空気との間で熱交換を行う熱交換器と、便所Ｔの室温を設定温度に保持するために熱交換器への温水の供給をＯＮ、ＯＦＦ制御する熱動弁とを備えており、操作部３１には、温水暖房端末装置３０自体を操作するための運転スイッチや室温設定ボタン等の他、用便者が便所Ｔ内で気分が悪くなった場合に家族の人を呼び出すための呼出信号を出力させる呼出操作ボタン３２を備えている。
【００１４】
前記温水暖房熱源機１０、操作リモコン２０及び温水暖房端末装置３０には、第１及び第２の通信手段であるシリアルインターフェース５１、５２を介して相互に通信可能なコントローラ１０ａ、２０ａ、３０ａがそれぞれ搭載されており、これらのコントローラ１０ａ、２０ａ、３０ａが相互に連携をとりながら、温水暖房熱源機１０の運転動作を統括的に制御している。
【００１５】
また、便所Ｔ内において、用便者が呼出操作ボタン３２を押すと、呼出信号が温水暖房端末装置３０のコントローラ３０ａに出力され、コントローラ３０ａから、シリアルインターフェース５１、５２を介して、操作リモコン２０のコントローラ２０ａに呼出信号が送信されるようになっている。
【００１６】
台所Ｋに設置された操作リモコン２０は、図２（ａ）に示すように、暖房系統のバーナーの燃焼状態、給湯設定温度、風呂設定温度等の熱源機関連情報を表示する表示部２１及び操作内容等を音声でアナウンスする音声出力部２２を備えており、この操作リモコン２０のコントローラ２０ａが、便所Ｔからの呼出信号を受信すると、同図（ｂ）に示すように、表示部２１は、上述した熱源機関連情報の表示から、例えば、「トイレで呼んでいます」といった呼出表示に自動的に切り換わると共に、音声出力部２２が、同一内容の音声を出力することによって、呼出報知が行われるようになっている。
【００１７】
以上のように、この温水暖房システム１では、便所Ｔ内に設置された温水暖房端末装置３０の操作部３１に設けられた呼出操作ボタン３２を押すことによって出力される呼出信号を温水暖房端末装置３０のコントローラ３０ａに一旦入力し、温水暖房端末装置３０のコントローラ３０ａと温水暖房熱源機１０のコントローラ１０ａとを通信可能に接続しているシリアルインターフェース５１及び温水暖房熱源機１０のコントローラ１０ａと操作リモコン２０のコントローラ２０ａとを通信可能に接続しているシリアルインターフェース５２を利用して、呼出信号を台所Ｋに設置された操作リモコン２０のコントローラ２０ａに送信し、操作リモコン２０の表示部２１及び音声出力部２２を利用して呼出報知を行うようにしたので、呼出専用の通信線を別途布設したり、呼出専用の表示部や音声出力部等を有する呼出報知手段を別途設置したりすることなく、便所Ｔからの呼出報知を簡単に行うことが可能となる。
【００１８】
また、この温水暖房システム１では、便所Ｔに設置される温水暖房端末装置３０の操作部３１に呼出操作ボタン３２が組み込まれているので、便所Ｔ内に呼出操作部を別途設置する必要がなく、暖房機能及び呼出報知機能といった二つの機能を効率的に実現することができる。
【００１９】
なお、上述した実施形態では、温水暖房熱源機１０として、給湯機能や浴槽に対する自動注湯機能及び追焚機能を兼ね備えた複合給湯器を使用したが、これに限定されるものではなく、暖房専用の熱源機や暖房機能と給湯機能とを備えた給湯器等を使用することも可能である。
【００２０】
また、上述した実施形態では、温水暖房端末装置３０の操作部３１に呼出操作ボタン３２が組み込まれた温水暖房システム１について説明したが、これに限定されるものではなく、呼出操作手段を温水暖房端末装置とは個別に設け、呼出操作手段を温水暖房端末装置のコントローラに接続することも可能である。
【００２１】
また、上述した実施形態では、台所Ｋに設置された操作リモコン２０の表示部２１及び音声出力部２２を利用して便所Ｔからの呼出報知を行うようにしているが、これに限定されるものではなく、便所Ｔからの呼出信号を台所Ｋに設置された操作リモコン２０及び浴室に設置された操作リモコンの双方に送信し、それぞれの操作リモコンの表示部や音声出力部を利用することで、台所Ｋ及び浴室の双方において呼出報知を行うことも可能である。
【００２２】
また、上述した実施形態では、用便者が一人で入室し、しかも、用便者が老人や血圧の高い人等の場合、気温の低い冬場に気分が悪くなったり、倒れたりする危険性が高い便所Ｔに温水暖房端末装置３０を設置し、便所Ｔから台所Ｋに対して呼出報知を行うようにした温水暖房システム１について説明したが、これに限定されるものではなく、温水暖房端末装置が設置される全ての部屋から、台所や浴室に対して呼出報知を行うことができることはいうまでもない。
【００２３】
また、上述した実施形態では、呼出操作ボタン３２を押すと、予め定められた所定内容の呼出表示や呼出音声が操作リモコン２０から出力されるようになっているが、例えば、温水暖房端末装置と操作リモコンとの間に通話機能を付与することによって、温水暖房端末装置が設置されている部屋と台所や浴室との間で直接通話させることも可能である。
【００２４】
また、上述した実施形態では、温水暖房熱源機１０と、温水暖房端末装置３０及び操作リモコン２０とが、第１及び第２の通信手段であるシリアルインターフェース５１、５２を介して相互に通信可能に接続されているが、第１の通信手段または第２の通信手段のいずれか一方が、無線による通信手段であってもよい。
【図面の簡単な説明】
【図１】この発明にかかる温水暖房システムの一実施形態を示す概略構成図である。
【図２】（ａ）は同上の温水暖房システムに使用されている操作リモコンの表示部に熱源機関連情報が表示されている状態を示す図、（ｂ）は同上の操作リモコンが呼出報知を行っている状態を示す図である。
【符号の説明】
１　温水暖房システム
１０　温水暖房熱源機
１０ａ　コントローラ
２０　操作リモコン（遠隔操作手段）
２０ａ　コントローラ
２１　表示部
２２　音声出力部
３０　温水暖房端末装置
３０ａ　コントローラ
３１　操作部
３２　呼出操作ボタン（呼出操作手段）
４１、４２　外部配管
５１　シリアルインターフェース（第１の通信手段）
５２　シリアルインターフェース（第２の通信手段）
Ｋ　台所
Ｔ　便所
【図１】
2004093059.tif 000003
【図２】
2004093059.tif 000004